(57)【要約】【課題】  リモートサイドネットワーク装置の使用の中断を避けることができるリモートサイドネットワーク装置のＩＰアドレースパラメータ設定方法を提供する。【解決手段】  リモートサイドネットワーク装置のインターネット通信協議を改めて設定するとき、リモートサイドネットワーク装置は、本来のインターネット通信協議アドレースパラメータをバックアップ用のインターネット通信協議アドレースパラメータとして設定する。さらに、計時器をスタートし、時間を計算させ、設定の時間以内に制御プレートフォームの制御を受けることを確認する。設定の時間以内に制御プレートフォームの制御を受けなければ、インターネット通信協議アドレースパラメータをバックアップ用のインターネット通信協議アドレースパラメータに換え戻すので、制御プレートフォームはもう一度リモートサイドネットワーク装置を制御可能である。【選択図】    図２
2006186724.tif 000002
【特許請求の範囲】
【請求項１】
リモートサイドネットワーク装置のインターネット通信協議（ＩＰ）を改めて設定するときに、リモートサイドネットワーク装置は、本来のインターネット通信協議アドレースパラメータ（ＩＰ）をバックアップ用のインターネット通信協議アドレースパラメータ（ＩＰ）として設定し、
さらに計時器をスタートし、時間を計算させ、設定の時間以内に制御プレートフォームの制御を受けることを確認し、
設定の時間以内に制御プレートフォームの制御を受けなければ、インターネット通信協議アドレースパラメータ（ＩＰ）をバックアップ用のインターネット通信協議アドレースパラメータ（ＩＰ）に換え戻すことで、制御プレートフォームはもう一度リモートサイドネットワーク装置を制御可能であることを特徴とするリモートサイドネットワーク装置のＩＰアドレースパラメータ設定方法。
【請求項２】
制御プレートフォームは、コンピューターであり、制御プレートフォームがネットワークを経由して少なくとも一つのリモートサイドネットワーク装置と相互にリンクされることで、リモートサイドネットワーク装置の制御はポイントとポイント（制御プレートフォームとリモートサイドネットワーク装置との間）のネットワークのパケットデータ交換を経由して達成されることを特徴とする請求項１記載のリモートサイドネットワーク装置のＩＰアドレースパラメータ設定方法。
【発明の詳細な説明】
【技術分野】
【０００１】
本発明は、リモートサイドネットワーク装置のＩＰアドレースパラメータ設定方法に関するものであり、特に、リモートサイドネットワーク装置のインターネット通信協議（ＩＰ）を改めて設定するときに、正しくないパラメーターに設定されて、リモートサイドネットワーク装置の使用が中断されることを避ける方法を指す。
【背景技術】
【０００２】
インターネットにリンクするコンピューターがデータを正確かつ順調に伝送、受信するために、コンピューター毎に一つのアドレースが必要である。このアドレースはインターネット通信協議アドレース（ＩＰ）と呼ばれる。インターネット通信協議アドレース（ＩＰ）は、コンピューターのドアナンバーのようなものである。パケットデータの伝送は、車が道を行くのに似ている。インターネット通信協議アドレース（ＩＰ）が分かると、インターワークの設備がパケットデータをどんなコンピューターへ伝送するかも分かる。
【０００３】
一般的に、リモートサイドネットワーク装置の制御は、ポイントとポイント（制御プレートフォームとリモートサイドネットワーク装置との間）のネットワークのパケットデータ交換を経由して達成される。ゆえに、インターネット通信協議アドレースパラメータ（ＩＰ）の設定とネットワークエリア、インターネット通信協議アドレースパラメータ（ＩＰ）の分配制御とは密接な関係がある。
【発明の開示】
【発明が解決しようとする課題】
【０００４】
しかし、リモートサイドネットワーク装置のインターネット通信協議アドレースパラメータ（ＩＰ）を不当に設定すれば、リモートサイドネットワーク装置の制御機能は失われる。よって、唯一の解決方法として、管理者がリモートサイドネットワーク装置の所在地へ行って、インターネット通信協議（ＩＰ）を改めて設定しないと、リモートサイドネットワーク装置の制御機能を回復できない。そうすると、とても不便であるだけでなく、リモートサイドの制御機能も失われる。
【課題を解決するための手段】
【０００５】
提案者は、前掲の先行技術の欠陥を解決するために、ネットワーク装置に携わってきた製造経験および技術の累積に基づいて様々な解決の方法を研究したり、試験したり、改良したあとで、ようやく、本発明のリモートサイドネットワーク装置のＩＰアドレースパラメータ設定方法を開発して、それら欠点を解決した。
【０００６】
したがって、本発明の主な目的は、リモートサイドネットワーク装置のＩＰアドレースパラメータ設定方法を提供することにある。リモートサイドネットワーク装置のインターネット通信協議（ＩＰ）を改めて設定するときに、正しくないパラメーターに設定されてリモートサイドネットワーク装置の使用が中断されることを避ける。そんな方法は、リモートサイドネットワーク装置のインターネット通信協議（ＩＰ）を改めて設定するときに、リモートサイドネットワーク装置は、本来のインターネット通信協議アドレースパラメータ（ＩＰ）をバックアップ用のインターネット通信協議アドレースパラメータ（ＩＰ）として設定したあとで、計時器をスタートし、時間を計算させる。設定の時間以内に制御プレートフォームの制御を受けることを確認する。設定の時間以内に制御プレートフォームの制御を受けなければ、インターネット通信協議アドレースパラメータ（ＩＰ）をバックアップ用のインターネット通信協議アドレースパラメータ（ＩＰ）に換え戻すので、制御プレートフォームはもう一度リモートサイドネットワーク装置を制御することができる。そうすると、インターネットがリンクされ、リモートサイドネットワーク装置のアドレースパラメータ（ＩＰ）を改めて設定するので、リモートサイドネットワーク装置の使用が中断されることを避ける。
【発明を実施するための最良の形態】
【０００７】
本発明の目的、特徴および効果などをご了解なさるために、以下、さらに具体的な実施例を図面にあわせて詳しく説明する。
まずは図１を御覧下さい。本発明の一実施例は、リモートサイドネットワーク装置のＩＰアドレースパラメータ設定方法に関するものである。リモートサイドネットワーク装置１１のインターネット通信協議（Internet  Protocol、略称ＩＰ）を改めて設定するときに、リモートサイドネットワーク装置１１は、本来のインターネット通信協議アドレースパラメータ（ＩＰ）をバックアップ用のインターネット通信協議アドレースパラメータ（ＩＰ）として設定したあとで、計時器をスタートし、時間を計算させる。設定の時間以内に制御プレートフォーム１２の制御を受けることを確認する。設定の時間以内に制御を受けなければ、インターネット通信協議アドレースパラメータ（ＩＰ）をバックアップ用のインターネット通信協議アドレースパラメータ（ＩＰ）に換え戻すので、制御プレートフォーム１２はもう一度リモートサイドネットワーク装置１１を制御することができる。そうすると、リモートサイドネットワーク装置１１が正しくないパラメーターに設定されてリモートサイドネットワーク装置１１の使用が中断されることを避ける。
【０００８】
もう一度、図１を御参照して下さい。制御プレートフォーム１２は、コンピューターである。制御プレートフォーム１２がネットワーク１３を経由して少なくとも一つのリモートサイドネットワーク装置１１と相互にリンクされるので、それらリモートサイドネットワーク装置１１の制御は、ポイントとポイント（制御プレートフォーム１２とリモートサイドネットワーク装置１１との間）のネットワークのパケットデータ交換を経由して達成される。
【０００９】
制御プレートフォーム１２によりリモートサイドネットワーク装置１１のインターネット通信協議（ＩＰ）を改めて設定するときに、図２に示すように、リモートサイドネットワーク装置１１は次のステップで行われる。
【００１０】
（２０１）まずは制御プレートフォーム１２の制御を受ける。
（２０２）制御プレートフォーム１２からインターネット通信協議アドレースパラメータ（ＩＰ）を変更する命令を受けるかどうかを判断する。そうすれば、次のステップ（２０３）を続ける。そうしないと、終える。
【００１１】
（２０３）本来の主要のインターネット通信協議アドレースパラメータ（ＩＰ）をバックアップ用のインターネット通信協議アドレースパラメータ（ＩＰ）として設定する。
（２０４）新設のインターネット通信協議アドレースパラメータ（ＩＰ）を主要のインターネット通信協議アドレースパラメータ（ＩＰ）として設定する。
【００１２】
（２０５）計時器をスタートし、時間を計算させる。
（２０６）リセット、確認し、制御プレートフォーム１２の制御を受けるかどうかを確認したあとで、終える。
【００１３】
リモートサイドネットワーク装置１１のインターネット通信協議（ＩＰ）を改めて設定し、計時するとき、図３に示すように、次のステップで行われる。
（３０１）制御プレートフォーム１２から伝送してある制御確認用のネットワークパケットデータを受けるかどうかを判断する。そうすれば、ステップ（３０４）を行う。そうしないと、次のステップ（３０２）を続ける。
（３０２）計時器の計時が設定の時間範囲を超過するかどうかを判断する。そうすれば、次のステップ（３０３）を続ける。そうしないと、ステップ（３０５）を行う。
【００１４】
（３０３）主要のインターネット通信協議アドレースパラメータ（ＩＰ）をバックアップ用のインターネット通信協議アドレースパラメータ（ＩＰ）に換え戻し、制御プレートフォーム１２との通信の中断を避ける。
（３０４）計時器の計時を止めたあとで、終える。
（３０５）計時を続けたあとで、ステップ（３０１）を行う。
【００１５】
以上の内容をまとめると、本実施例によりリモートサイドネットワーク装置１１のインターネット通信協議（ＩＰ）のアドレースパラメータを改めて設定するときに、正しくないパラメーターに設定されてリモートサイドネットワーク装置１１の使用が中断されることを避ける。要するに、制御プレートフォーム１２が絶えずリモートサイドネットワーク装置のアドレースパラメータを改めて設定するので、リモートサイドの制御は永遠に中断されないという効果に役立つ。
【図面の簡単な説明】
【００１６】
【図１】本発明の一実施例によるリモートサイドネットワーク装置のＩＰアドレースパラメータ設定方法システムを示す模式図である。
【図２】本発明の一実施例によるリモートサイドネットワーク装置のＩＰアドレースパラメータ設定方法の動作のフローチャートを示す図である。
【図３】本発明の一実施例によるリモートサイドネットワーク装置のＩＰアドレースパラメータ設定方法の動作のフローチャートを示す図である。
【符号の説明】
【００１７】
１１  リモートサイドネットワーク装置、１２  制御プレートフォーム、１３  ネットワーク
【図１】
2006186724.tif 000003
【図２】
2006186724.tif 000004
【図３】
2006186724.tif 000005